(57)【要約】【課題】メンテナンス作業時などにおいて、制御ユニットの向きを変更させた仮支持状態を、構造が複雑な専用部品を用いるようなことなく、容易かつ適切に行なうことが可能な温水ユニットを提供する。【解決手段】外装ケース１内のうち、温水関連機器２よりも開口部１０寄りの所定箇所に取付けられた制御ユニット３と、この制御ユニット３が前記所定箇所から取り外されたときに、制御ユニット３を通常の取付け状態時とは異なる向きで仮支持させるための仮支持手段と、を備えている、温水ユニットＵであって、前記仮支持手段は、外装ケース１の一対の壁部１１ａに橋渡し状に取付けられ、かつ温水関連機器２よりも開口部１０寄りに位置するステー４と、  制御ユニット３に設けられ、かつ制御ユニット３が前記所定箇所から取外されて向きを変更された状態においてステー４に係合可能なステー用係合部３２と、を備えている。【選択図】  図１０
2019148348.tif 000002
【特許請求の範囲】
【請求項１】
一面が開口部とされ、かつ温水生成機能または温水貯留機能を有する温水関連機器を内部に収容する外装ケースと、
この外装ケース内のうち、前記温水関連機器よりも前記開口部寄りの所定箇所に取付けられ、かつ前記温水関連機器の制御を行なうための制御ユニットと、
この制御ユニットが前記所定箇所から取り外されたときに、前記制御ユニットを前記所定箇所への通常の取付け状態時とは異なる向きで仮支持させるための仮支持手段と、
を備えている、温水ユニットであって、
前記仮支持手段は、
前記外装ケースの複数の壁部のうち、間隔を隔てて互いに対向する一対の壁部に橋渡し状に取付けられ、かつ前記温水関連機器よりも前記開口部寄りに位置するステーと、
前記制御ユニットに設けられ、かつ前記制御ユニットが前記所定箇所から取外されて向きを変更された状態において前記ステーに係合可能なステー用係合部と、
を備えていることを特徴とする、温水ユニット。
【請求項２】
請求項１に記載の温水ユニットであって、
前記ステー用係合部は、前記ステーにその上方から係合させることが可能なフック状である、温水ユニット。
【請求項３】
請求項１または２に記載の温水ユニットであって、
前記制御ユニットの前記仮支持の状態においては、前記制御ユニットは、前記外装ケースの底壁部上に載置され、かつ前記ステーの手前側において上下高さ方向に起立した姿勢とされ、かつ前記ステー用係合部が前記ステーに係合していることにより、前記制御ユニットが前記ステーの手前側に倒れることを阻止可能な構成とされている、温水ユニット。
【請求項４】
請求項１ないし３のいずれかに記載の温水ユニットであって、
前記制御ユニットの前記仮支持の状態においては、前記ステーに対する前記ステー用係合部の係合位置を、前記ステーの長手方向において変更可能とされている、温水ユニット。
【請求項５】
請求項４に記載の温水ユニットであって、
前記ステーに対する前記ステー用係合部の係合位置を変更することにより、前記制御ユニットを、前記開口部の左端寄り領域、および右端寄り領域のいずれの領域にも選択的に配置することが可能とされている、温水ユニット。
【請求項６】
請求項１ないし５のいずれかに記載の温水ユニットであって、
前記ステーは、前記外装ケースから取外し可能とされている、温水ユニット。
【請求項７】
請求項１ないし６のいずれかに記載の温水ユニットであって、
前記ステーには、前記制御ユニットの前記通常の取付け状態時において、前記ステー用係合部が係合可能な被係合部が設けられている、温水ユニット。
【発明の詳細な説明】
【技術分野】
【０００１】
本発明は、温水関連機器が外装ケース内に収容されてユニット化された給湯装置ユニットなどの温水ユニットに関する。
【背景技術】
【０００２】
本出願人は、温水ユニットの一例として、特許文献１，２に記載のものを先に提案している。
これらの文献に記載の温水ユニットは、温水関連機器が外装ケース内に収容されている。また、前記外装ケース内のうち、温水関連機器よりも手前側（外装ケースの開口部寄り）には、電源回路や制御回路などの電装基板を備えた制御ユニットが取り付けられている。このため、外装ケースの前面側を開けた際には、制御ユニットの操作や点検などを容易に実行することが可能である。一方、前記温水ユニットにおいては、制御ユニットを取り外した際には、この制御ユニットを約９０度水平方向に回転させた向きとし、外装ケースの開口部の片側に仮支持させることが可能とされている。
このような構成によれば、温水関連機器のメンテナンス作業を行なう際には、制御ユニットを前記した仮支持状態とし、正面視において細幅な姿勢とすることにより、制御ユニットがメンテナンス作業の邪魔にならないようにすることが可能であり、便利である。
【０００３】
しかしながら、前記従来技術においては、制御ユニットを前記した仮支持状態に設定するための手段として、制御ユニットを回転可能に支持するための専用部品を用いている。このため、その専用部品を用いる分だけ、温水ユニットの全体の製造コストが高価となり、温水ユニットの製造コストの低減を促進する上では、これを解消することが望まれる。
【先行技術文献】
【特許文献】
【０００４】
【特許文献１】特許第５５７３４６２号公報
【特許文献２】特許第５５８２３３５号公報
【発明の概要】
【発明が解決しようとする課題】
【０００５】
本発明は、前記したような事情のもとで考え出されたものであり、メンテナンス作業時などにおいて、制御ユニットの向きを変更させた仮支持状態を、構造が複雑な専用部品を用いるようなことなく、容易かつ適切に行なうことが可能な温水ユニットを提供することを、その課題としている。
【課題を解決するための手段】
【０００６】
前記の課題を解決するため、本発明では、次の技術的手段を講じている。
【０００７】
本発明により提供される温水ユニットは、一面が開口部とされ、かつ温水生成機能または温水貯留機能を有する温水関連機器を内部に収容する外装ケースと、この外装ケース内のうち、前記温水関連機器よりも前記開口部寄りの所定箇所に取付けられ、かつ前記温水関連機器の制御を行なうための制御ユニットと、この制御ユニットが前記所定箇所から取り外されたときに、前記制御ユニットを前記所定箇所への通常の取付け状態時とは異なる向きで仮支持させるための仮支持手段と、を備えている、温水ユニットであって、前記仮支持手段は、前記外装ケースの複数の壁部のうち、間隔を隔てて互いに対向する一対の壁部に橋渡し状に取付けられ、かつ前記温水関連機器よりも前記開口部寄りに位置するステーと、前記制御ユニットに設けられ、かつ前記制御ユニットが前記所定箇所から取外され
て向きを変更された状態において前記ステーに係合可能なステー用係合部と、を備えていることを特徴としている。
【０００８】
このような構成によれば、温水関連機器のメンテナンス作業などを行なう際には、制御ユニットを通常の取付け姿勢とは異なった向きの仮支持状態に設定し、制御ユニットがメンテナンス作業の邪魔にならないようにできるといった効果が得られることは勿論のこと、次のような効果がさらに得られる。
すなわち、制御ユニットを仮支持させるための仮支持手段は、制御ユニットに設けられたステー用係合部と、外装ケースの一対の壁部に橋渡し状に取付けられたステーとを備えた構成とされているが、ステーは、本来的には、外装ケースのサイズを大きくするような場合に、外装ケースが不当に撓むことを防止するための補強部材としての役割をもつ。本発明においては、このようなステーに制御ユニットを係合させて仮支持を図るものであって、前記従来技術とは異なり、制御ユニットを仮支持させるための専用部品を用いる必要はない。したがって、前記従来技術よりも温水ユニットの製造コストを低減することが可能である。
また、本発明においては、制御ユニットを仮支持させる場合に、たとえば制御ユニットをビス止めするといった必要はなく、制御ユニットのステー用係合部をステーに係合させればよいため、制御ユニットの仮支持の設定、およびその解除作業も容易なものとすることが可能である。
【０００９】
本発明において、好ましくは、前記ステー用係合部は、前記ステーにその上方から係合させることが可能なフック状である。
【００１０】
このような構成によれば、ステー用係合部やステーの構成を簡素にしつつ、制御ユニットを仮支持状態に設定する際にステー用係合部をステーに係合させる作業を容易に行なうことができる。
【００１１】
本発明において、好ましくは、前記制御ユニットの前記仮支持の状態においては、前記制御ユニットは、前記外装ケースの底壁部上に載置され、かつ前記ステーの手前側において上下高さ方向に起立した姿勢とされ、かつ前記ステー用係合部が前記ステーに係合していることにより、前記制御ユニットが前記ステーの手前側に倒れることを阻止可能な構成とされている。
【００１２】
このような構成によれば、制御ユニットを仮支持状態に設定した際には、外装ケースの底壁部上において上下高さ方向に起立した姿勢とし、かつ不用意に倒れない状態に設定することが可能である。制御ユニットの重量は、外装ケースの底壁部によって受けさせることができ、ステー用係合部は、制御ユニットが倒れないようにステーに係合すればよいため、制御ユニットの重量がステーに殆ど作用しないようにすることが可能である。制御ユニットの重量をステーに大きく作用させる場合には、ステーの強度をかなり高める必要があるが、前記構成によれば、そのような必要をなくすことが可能である。
【００１３】
本発明において、好ましくは、前記制御ユニットの前記仮支持の状態においては、前記ステーに対する前記ステー用係合部の係合位置を、前記ステーの長手方向において変更可能とされている。
【００１４】
このような構成によれば、メンテナンス作業の位置などに応じて、制御ユニットが邪魔にならないように、その位置を変更することができるため、一層便利である。
【００１５】
本発明において、好ましくは、前記ステーに対する前記ステー用係合部の係合位置を変更することにより、前記制御ユニットを、前記開口部の左端寄り領域、および右端寄り領
域のいずれの領域にも選択的に配置することが可能とされている。
【００１６】
このような構成によれば、メンテナンス作業の位置などに応じて、制御ユニットが邪魔にならないように設定する上で、より好ましいものとなる。
【００１７】
本発明において、好ましくは、前記ステーは、前記外装ケースから取外し可能とされている。
【００１８】
このような構成によれば、メンテナンス作業に際して、ステーを外装ケースから取外すことにより、温水関連機器を外装ケースの外部に取り出すといった作業を好適に行なうことができる。
【００１９】
本発明において、好ましくは、前記ステーには、前記制御ユニットの前記通常の取付け状態時において、前記ステー用係合部が係合可能な被係合部が設けられている。
【００２０】
このような構成によれば、制御ユニットのステー用係合部を、制御ユニットを仮支持の状態に設定するのに利用するだけではなく、制御ユニットの通常の取付け状態時における制御ユニットの位置決め固定などにも利用することが可能となる。このことにより、たとえば制御ユニットのビス止め箇所を少なくするといった効果を得ることができる。
【００２１】
本発明のその他の特徴および利点は、添付図面を参照して以下に行なう発明の実施の形態の説明から、より明らかになるであろう。
【図面の簡単な説明】
【００２２】
【図１】本発明に係る温水ユニットの一例を示す断面図である。
【図２】図１の概略斜視図である。
【図３】図１の要部分解斜視図である。
【図４】図１に示す温水ユニットの要部正面図である。
【図５】図４に示す構造の要部分解正面図である。
【図６】（ａ）は、図４のVIa−VIa断面図であり、（ｂ）は、図４の VIb−VIb断面図である。
【図７】図４のVII−VII断面図である。
【図８】（ａ）は、図４の要部正面断面図であり、（ｂ）は、（ａ）に示す箇所の要部概略斜視図である。
【図９】（ａ）は、図８（ａ）の要部分解正面断面図であり、（ｂ）は、（ａ）に示す箇所の要部概略斜視図である。
【図１０】図１に示す温水ユニットにおいて、制御ユニットを仮支持の状態に設定した場合の一例を示す要部概略斜視図である。
【図１１】図１０のXI−XI断面図である。
【発明を実施するための形態】
【００２３】
以下、本発明の好ましい実施の形態について、図面を参照して具体的に説明する。
【００２４】
図１および図２に示す温水ユニットＵは、外装ケース１、カバーパネル１８（前面カバーパネル）、外装ケース１内に収容された温水関連機器２、制御ユニット３、ステー４、および一対のステー用差し込み保持部５を構成するブラケット部材５０を備えている。
【００２５】
外装ケース１は、前面に開口部１０が形成された内部空洞状の略直方体であり、たとえば薄手の金属板を用いて形成されており、複数の壁部１１（１１ａ〜１１ｄ）を備えている。これら複数の壁部１１は、具体的には、左右の一対の側壁部１１ａ、底壁部１１ｂ、
上壁部１１ｃ、および後壁部１１ｄである。外装ケース１は、通常時においては、その前面部にカバーパネル１８がビス９０などの締結部材を用いて取付けられ、開口部１０は塞がれている。
【００２６】
温水関連機器２は、図面においては、その詳細を省略し、または不図示とされているが、たとえば瞬間式給湯器、あるいは貯湯タンクなどである。ただし、後述するように、これに限定されない。この温水関連機器２は、外装ケース１内の奥部寄りの位置に収容されている。
【００２７】
制御ユニット３は、樹脂製の偏平ケース状のホルダ３０の表面側に、温水関連機器２の動作制御などを実行するための制御回路や電源回路などを搭載した電装基板３１が取付けられた構成である。電装基板３１についても、温水関連機器２と同様に、図面において、その詳細を省略し、または不図示とされている。制御ユニット３は、温水関連機器２およびステー４よりも手前側（開口部１０寄り）に配されている。
【００２８】
ステー４は、本来的には、外装ケース１の左右一対の側壁部１１ａを補強し、これらが撓み変形することを防止するための部材である。本実施形態において、外装ケース１は、左右の横幅が比較的狭い一方、全体の上下高さ寸法が大きくされており、一対の側壁部１１ａが撓み変形を生じ易い。ステー４は、これを解消するのに役立つが、後述するように、制御ユニット３の取付けにも利用される。なお、一対の側壁部１１ａは、本発明でいう一対の壁部の一例に相当する。
【００２９】
図９によく表われているように、ステー４は、一定方向に延びる帯板状のステー本体部４０、このステー本体部４０の長手方向両端部に繋がり、かつ前記長手方向と交差する方向に突出する片状の一対の突出部４１、ステー本体部４０からその手前側に突出した突片状の被係合部４２、およびビス止め用の孔部４３を備えている。好ましくは、ステー４は、金属板にプレス加工を施すことによって各部が一体形成されたものとされている。ステー４の前記した各部の詳細については後述する。
【００３０】
各ステー用差し込み保持部５は、ステー４の各突出部４１の差し込み保持が可能とされた部位であり、ブラケット部材５０を側壁部１１ａの内面に溶接付けすることにより構成されている。ブラケット部材５０は、ステー４と同様に、金属板にプレス加工を施すことにより形成されており、ベース部５１、凸状段部５２、およびステー４の差し込み用の隙間５３を備えている。ベース部５１は、側壁部１１ａの内面に当接するようにして側壁部１１ａへの前記溶接付けが図られる部位である。凸状段部５２は、ベース部５１よりも外装ケース１の内側寄りに突出するように形成された段押し加工部である。隙間５３は、ベース部５１と凸状段部５２との相互間に形成されており、本実施形態では、上部および下部の双方が開口した形態とされているが、少なくとも上部が開口した構成とされる。このことにより、隙間５３には、その上方からステー４の突出部４１を差し込み可能である。
【００３１】
図８に示すように、前記した隙間５３にその上方からステー４の突出部４１を差し込んだ状態においては、凸状段部５２上に、ステー本体部４０の両端部を載せて支持させることが可能となっている。この状態において、ステー４が外装ケース１の前後方向および左右横幅方向に変位することは規制されている。このような設定がなされることにより、左右一対の側壁部１１ａの上下高さ方向途中部分であって、開口部１０の近傍には、ステー４が略水平な姿勢の橋渡し状に取付けられる。ただし、隙間５３に突出部４１を差し込んだだけの状態では、ステー４を上方に抜き取ることが可能であり、ステー４が抜け外れることは阻止されていない。
【００３２】
図３〜図５によく表われているように、制御ユニット３のホルダ３０には、外装ケース
１内における制御ユニット３の取付け、ならびにステー４との係合および連結を図るための手段として、ステー用係合部３２、ステー用連結部３３、および下向き突出部３４が設けられている。
【００３３】
ステー用係合部３２は、先端が下向きの側面視略Ｌ字状のフックとして構成され、かつホルダ３０の上部または上下高さ方向途中部分の横幅方向片側に設けられており、ステー４の被係合部４２に係合させることが可能である。被係合部４２は、図８および図９によく表われているように、ステー本体部４０の一部に切り起こし加工（符号４０ａは、切り起こしに伴って形成される孔部）を施すことにより形成されており、ステー４の手前側に向けて突出している。この被係合部４２は、水平方向に屈曲した先端屈曲部４２ａが形成されている。図４に示すように、制御ユニット３は、ステー用係合部３２が被係合部４２に対してその上側から係合するように設定される。この係合状態においては、図７によく表われているように、ステー用係合部３２は、前後方向において先端屈曲部４２ａとステー本体部４０との相互間に位置し、被係合部４２は、横幅方向においてステー用係合部３２とホルダ３０の本体部分との相互間に位置する。このため、ステー４に相対して、制御ユニット３が外装ケース１の左右横幅方向および前後方向に変位することが規制される。
【００３４】
なお、図示された構成では、ステー用係合部３２の幅Ｗａは、ホルダ３０の幅Ｗｂよりも小さくされており、小サイズ化が図られている。これは、図１０および図１１を参照して後述する制御ユニット３の仮保持状態の設定時において、ステー用係合部３２をステー４に係合させ易くするのに役立つ。また、幅Ｗａを過小にせず、ある程度の大きさの寸法に設定しておくことにより、制御ユニット３の仮保持状態の設定時に、制御ユニット３が水平方向に回転するようにがたつくことを防止することが可能である。
【００３５】
図３〜図５において、ステー用連結部３３は、ホルダ３０の上部または上下高さ方向途中部分のうち、前記したステー用係合部３２とは横幅方向反対側の位置に設けられており、かつビス止め用の孔部３３ａを備えた突出片状のブラケット部として構成されている。このステー用連結部３３は、ステー４のビス止め用の孔部４３の手前側に配され、かつステー４にビス９１を介して締結されている。
【００３６】
制御ユニット３のホルダ３０の下部には、ビス止め用の孔部３５が設けられている。一方、外装ケース１の底壁部１１ｂ上には、制御ユニット３を固定するためのブラケット部１９が起立して設けられている。制御ユニット３の下部は、ビス止め用の孔部３５を挿通するビス９２を利用してブラケット部１９に固定されている（図６（ａ）も参照）。
【００３７】
制御ユニット３の下向き突出部３４は、ホルダ３０の下面部から下向きに突出したボス部として形成されている。この下向き突出部３４は、少なくとも１つ設けられるが、本実施形態では、横幅方向に間隔を隔てて２つ設けられている。外装ケース１の底壁部１１ｂには、下向き突出部３４に対応する２つの位置決め用の孔部１８が設けられており、外装ケース１内への制御ユニット３の取付けは、それら位置決め用の孔部１８に下向き突出部３４を差し込んだ状態で行なわれている（図６（ｂ）も参照）。このような構成によれば、下向き突出部３４と位置決め用の孔部１８との嵌合作用により、外装ケース１内における制御ユニット３の位置決めを図ることができ、制御ユニット３を所定位置に正確に、かつ迅速に配置させて取付ける作業の容易化を図ることができる。
【００３８】
前記した温水ユニットＵは、図１０および図１１に示すように、制御ユニット３を仮支持の状態に設定可能とされている。以下、この点についてより具体的に説明する。
【００３９】
すなわち、制御ユニット３を前記した所定箇所から取り外した状態では、この制御ユニット３が正面視細幅状となるようにその向きを変更した上で、ステー用係合部３２をステ
ー４に係合させることが可能となっている。このことにより、外装ケース１の開口部１０を大きな面積で開放し得るように、制御ユニット３を開口部１０またはその近傍において仮支持の状態に設定することができる。ステー４、および制御ユニット３のステー用係合部３２は、本発明でいう仮支持手段を構成している。
【００４０】
好ましくは、ステー４に対するステー用係合部３２の係合箇所をステー４の長手方向（外装ケース１の横幅方向）に位置ずれさせることが可能とされている。このことにより、制御ユニット３を、たとえば開口部１０の左端寄り領域から右端寄り領域のいずれの位置にも選択的に配置できるように構成されている。
【００４１】
また、制御ユニット３の前記した仮支持の状態においては、下向き突出部３４は、位置決め用の孔部１８には差し込まれておらず、外装ケース１の底壁部１１ｂ上に載せられている。一方、ステー用係合部３２は、ステー４に対して制御ユニット３の重量がその上方から作用しないようにステー４に対して係合している。このような構成によれば、制御ユニット３の重量は、外装ケース１の底壁部１１ｂによって受けられることとなり、ステー４に大きな荷重が作用しないようにすることができる。ステー４に大きな荷重が作用すると、これに対応すべくステー４の厚肉化を図るなどしてその強度を高める必要があるが、本実施形態によれば、そのような必要をなくすことが可能である。ステー４に対するステー用係合部３２の係合は、制御ユニット３がステー４の手前側に倒れないように係合していればよい。また、下向き突出部３４は、制御ユニット３の他の部分と比較して、機械的強度が高い部分とすることができるため、この下向き突出部３４が底壁部１１ｂに当接して重量が受けられる構成を採用すれば、制御ユニット３の機械的強度の弱い他の部分に、不当な力が作用しないようにすることもできる。
【００４２】
次に、前記した温水ユニットＵの作用について説明する。
【００４３】
図１０および図１１に示した制御ユニット３の仮支持の状態に設定すれば、外装ケース１の開口部１０を大きな面積で開放することができる。したがって、外装ケース１の開口部１０から外装ケース１内の奥部に工具を差し入れるなどして、温水関連機器２のメンテナンス作業を容易に行なうことができる。とくに、制御ユニット３の位置は、外装ケース１の横幅方向に変更可能とされており、メンテナンス作業の都合に合わせて外装ケース１が邪魔にならない配置とすることができるため、メンテナンス作業を行なう上で、より便利となる。
【００４４】
制御ユニット３を、前記した図１０および図１１に示したような態様で仮支持させるための手段としては、制御ユニット３に設けられたステー用係合部３２と、ステー４とが利用されている。ここで、ステー４は、本来的には、外装ケース１の一対の側壁部１１ａの不当な撓みを防止するための補強部材である。したがって、そのようなステー４を利用して制御ユニット３の仮支持を図る構成は、合理的であり、制御ユニット３を仮支持させるための専用部品を別途用いる必要はない。その結果、温水ユニットＵの製造コストを低減することが可能である。
【００４５】
また、制御ユニット３の仮支持を図る場合、ステー用係合部３２をステー４に係合させるだけでよいため、その作業性は良好である。また、仮支持状態の解除も容易に行なうことが可能であり、便利である。
【００４６】
さらに、本実施形態においては、次のような作用も得られる。
すなわち、ステー４は、その突出部４１がステー用差し込み保持部５の隙間５３にその上方から差し込まれて保持されているのに対し、制御ユニット３は、通常の取付け状態時においては、ステー４が上方に変位することを規制する役割を果たす。したがって、ステ
ー４を適切に、かつ安定的に固定させた状態でステー用差し込み保持部５に取付けることが可能である。また、ステー用差し込み保持部５にその上方からステー４が差し込まれた構成によれば、制御ユニット３を仮支持の状態に設定し、ステー４の上方への変位が制御ユニット３によって阻止されていない際に、ステー４がステー用差し込み保持部５から抜け外れ難くすることが可能である。たとえば、ステー４を水平方向の差し込み方式とした場合には、ステー４が水平方向に変位して落下する虞が大きくなるが、本実施形態では、そのような虞をなくすことが可能である。
【００４７】
温水関連機器２を外装ケース１の外部に取り出すなどのメンテナンス作業を行なう場合において、ステー４を取外す際には、制御ユニット３を取り外した後に、ステー４をステー用差し込み保持部５の上方に容易に抜き外すことが可能である。したがって、ステー４の取外し作業も容易である。ステー用差し込み保持部５を構成するブラケット部材５０は、薄型に形成されており、外装ケース１の側壁部１１ａの内側に大きく突出しないようにされている。このため、ステー４を取り外した状態において、温水関連機器２を外装ケース１内に出し入れする際に、ステー用差し込み保持部５がその作業の邪魔になるようなことも適切に回避することが可能である。
【００４８】
本発明は、上述した実施形態の内容に限定されない。本発明に係る温水ユニットの各部の具体的な構成は、本発明の意図する範囲内において種々に設計変更自在である。
【００４９】
上述の実施形態においては、制御ユニット３を仮支持の状態に設定した際に、制御ユニット３の重量がステー４に大きく作用しないように構成しているが、これに代えて、たとえば制御ユニット３の重量の殆どがステー用係合部３２を介してステー４に作用するように構成することも可能である。ステー用係合部３２は、仮支持の状態を設定する際に、ステー４に係合可能な構成であればよく、上述したフック状以外の形態とすることも可能である。
ステー４は、前記したようなステー用差し込み保持部５への差し込み方向に限定されず、たとえばビス止め手段などを用いて外装ケース１に取付けられた構成とすることも可能である。
【００５０】
ステーが取付けられる外装ケースの一対の壁部は、左右一対の側壁部に限定されず、間隔を隔てて対向する一対の壁部どうしであれば、これらをステーの取付け対象の壁部とすることが可能である。ステーの具体的な形状、サイズ、材質は、限定されない。外装ケースは、前面部が開口部とされた構成に代えて、たとえば側面部あるいは後面部が開口部とされた構成とすることもできる。
【００５１】
本発明でいう温水関連機器とは、温水生成機能または温水貯留機能を有する機器を意味するが、その具体的な種類や数は問わない。温水関連機器には、貯湯タンクや瞬間式の給湯器などの他に、たとえばヒートホンプやコージェネレーションシステム機器なども該当する。したがって、本発明に係る温水ユニットは、たとえば貯湯タンクユニット、給湯器ユニット、ヒートポンプユニット、コージェネレーションシステムなどとして構成することができる。本発明でいう制御ユニットは、温水関連機器を制御する機能を備えたユニットであり、やはりその具体的な構成は限定されない。
【符号の説明】
【００５２】
Ｕ  温水ユニット
１  外装ケース
１０  開口部
１１ａ  側壁部（外装ケースの壁部）
２  温水関連機器
３  制御ユニット
３２  ステー用係合部（仮支持手段）
３３  ステー用連結部
３４  下向き突出部
４  ステー（仮支持手段）
４１  突出部
４２  被係合部
【図１】
2019148348.tif 000003
【図２】
2019148348.tif 000004
【図３】
2019148348.tif 000005
【図４】
2019148348.tif 000006
【図５】
2019148348.tif 000007
【図６】
2019148348.tif 000008
【図７】
2019148348.tif 000009
【図８】
2019148348.tif 000010
【図９】
2019148348.tif 000011
【図１０】
2019148348.tif 000012
【図１１】
2019148348.tif 000013